(57)【要約】サブピクセルレンダリングの色むらを効率よく抑制する表示装置を実現する。表示装置（１０００）は、サブピクセル精度画像取得部（１０１）と、エッジ抽出部（１０３）と、色むら領域特定部（１０４）と、適応色むら抑制部（１０５）とを備え、エッジの位置が、どのサブピクセルの間に対応するかに基づいて色むらを抑制する処理を行う。色むらが目立つ領域のみに強い抑制処理を施すことで、高解像度感を損なうことなく、十分に色むらを抑制することができる。
2009147792.tif 000002
【特許請求の範囲】
【請求項１】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理装置であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
画像処理装置。
【請求項２】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理装置であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
画像処理装置。
【請求項３】
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域であるエッジ部分画像領域に相当する前記サブピクセル精度画像信号に対して第１の色むら抑制強度による色むら抑制処理を実行し、
前記サブピクセル精度画像上において、前記エッジ部分画像領域を挟む少なくとも１サブピクセル分の画像領域であるエッジ隣接部分画像領域に相当する前記サブピクセル精度画像信号に対して前記第１の色むら抑制強度より弱い強度である第２の色むら抑制強度による色むら抑制処理を実行し、
前記サブピクセル精度画像上において、前記エッジ部分画像領域でなく、かつ、前記エッジ隣接部分画像領域でもない画像領域に相当する前記サブピクセル精度画像信号に対して前記第２の色むら抑制強度より弱い強度である第３の色むら抑制強度による色むら抑制処理を実行する、
請求項２に記載の画像処理装置。
【請求項４】
表示デバイスのサブピクセルの配列の情報を入力する表示デバイス配列情報入力部をさらに備える、
請求項１から３のいずれかに記載の画像処理装置。
【請求項５】
請求項１から４のいずれかに記載の画像処理装置と、
前記画像処理装置により処理された画像信号を表示させる表示部と、
を備える表示装置。
【請求項６】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理方法であって、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を備え、
前記色むら領域特定ステップでは、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
画像処理方法。
【請求項７】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理方法であって、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を備え、
前記色むら領域特定ステップでは、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
画像処理方法。
【請求項８】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理をコンピュータに実行させるプログラムであって、
コンピュータに、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を実行させるプログラムであって、
前記色むら領域特定ステップでは、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
プログラム。
【請求項９】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理をコンピュータに実行させるプログラムであって、
コンピュータに、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を実行させるプログラムであって、
前記色むら領域特定ステップでは、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
プログラム。
【請求項１０】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する集積回路であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
集積回路。
【請求項１１】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する集積回路であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
集積回路。
【請求項１２】
表示デバイスのサブピクセルの配列の情報を入力する表示デバイス配列情報入力部をさらに備える、
請求項１０または１１に記載の集積回路。
【発明の詳細な説明】
【技術分野】
【０００１】
本発明は、サブピクセル表示技術を利用する画像処理技術に関する。特に、画像処理装置、表示装置等において、サブピクセル表示技術を利用する場合に発生する色むらを抑制することで、高品位な表示を行う技術に関する。
【背景技術】
【０００２】
表示デバイスには、例えばカラー液晶パネルのように、ＲＧＢの各色を発光する発光素子を、一定順序で並設し、１画素を構成するものがある。このような表示デバイスにおける１画素を構成する各発光素子は、１画素よりも小さなサイズのものであり、サブピクセルと呼ばれる。
この種の表示デバイスでは、１画素を構成する各発光素子（サブピクセル）を並べる方向（例えば、表示デバイスの表示画面の水平方向）に画素（サブピクセルから構成される画素）を並べることで、１ラインを構成する。そして、この１ラインを、上記各発光素子（サブピクセル）を並べる方向と直交する方向（例えば、表示デバイスの表示画面の垂直方向）に並べることで、表示画面を構成する。
図１１（ａ）に、表示デバイスにおけるＲ成分のサブピクセル、Ｇ成分のサブピクセルおよびＢ成分のサブピクセルの配置およびデータ列との関係を示した図を示す。また、図１１（ｂ）にピクセルとサブピクセルとの関係を表した図を示す。【０００３】
この種の表示デバイスは、図１１に示すように、１画素（１ピクセル）は、３つのサブピクセル（Ｒ成分用サブピクセル、Ｇ成分用サブピクセルおよびＢ成分用サブピクセル）から構成され、１画素を構成する各発光素子（サブピクセル）が第１の方向（水平方向）に並べられており、さらに、画素が第１の方向（水平方向）に並べられて１ラインを構成している。そして、１ラインを構成する画素群が第２の方向（垂直方向）に並べられることで、表示デバイスの表示画面を構成している。
また、図１１（ａ）に示すように、表示デバイスを発光させるためのデータ列（映像信号に相当）は、サブピクセル毎に対応づけられており、例えば、図１１（ａ）中の矢印の先にあるＲ用サブピクセルのデータ列が「Ｙｘ＋１」に、Ｇ用サブピクセルのデータ列が「Ｙｘ＋２」に、Ｂ用サブピクセルのデータ列が「Ｙｘ＋３」に、それぞれ、対応づけられている。つまり、データ列（映像信号）「Ｙｘ＋１」、「Ｙｘ＋２」および「Ｙｘ＋３」により、表示デバイスの図１１中の矢印の先のＲ成分用サブピクセル、Ｇ成分用サブピクセルおよびＢ成分用サブピクセルが発光することで表示デバイス上の映像（画像）が形成される。【０００４】
ここで、例えば、特許文献１等において、この種の表示デバイスの特性（１画素が３つのサブピクセルから構成されている点に起因する特性）を活かし、この種の表示デバイスに表示させる映像（画像）信号（表示画面を構成する映像（画像）信号）に適当な処理（フィルタ処理等）を施すことにより、表示デバイスに表示される映像（画像）の見易さを向上させる技術が、公開されている。つまり、このような技術により、表示デバイスの（視覚特性上の）表示精度（人間が表示画面を見たときに、実際に認識できる解像度）を、画素精度により決定される表示精度（画素精度により決定される解像度）よりも向上させることができる（いわゆる「解像度感」を向上させることができる）。
具体的には、表示デバイスにサブピクセル表示を行うために、サブピクセルの並設方向（例えば、表示画面の水平方向）に３倍の解像度を持つ画像である３倍画像を用意する。そして、この３倍画像の各画素が各発光素子（サブピクセル）に割り当てられるように色を定める。ただし、このまま３倍画像を表示デバイスに表示させると、表示画面において色むらが発生するため、３倍画像に対してフィルタ処理を施す。すなわち、３倍画像を形成する映像（画像）信号に対して、色むらの目立たない帯域の情報のみを通過させるローパスフィルタを用いたフィルタ処理を施し、このようなフィルタ処理を施した３倍画像を形成する映像（画像）信号を表示デバイスで表示させることで、表示デバイスの表示画面において、上述した色むらを抑制する。このような処理を行う理由は、表示デバイスに表示させる映像（画像）において、画像のエッジとエッジに挟まれた領域（画像領域）が３サブピクセルより狭い場合（高帯域の情報の場合）に、色むらが発生するためである。そして、この色むらは、表示デバイスに表示される映像（画像）上の文字や画像のエッジの部分において発生することが多い。【０００５】
例えば、従来の技術において、中心の注目画素では、輝度に対して「３／９倍」の係数を、その隣の画素では「２／９倍」の係数を、さらにその隣の画素では「１／９倍」の係数を、それぞれ、各画素の輝度値に乗じて、各画素の輝度を調整する。
このように、従来の技術（特許文献１等に開示されている技術）では、フィルタ処理を施した画像を、各発光素子（サブピクセル）に割り当てて、サブピクセル表示を行う。
さらに、一般にＲ、Ｇ、Ｂの各色の輝度への貢献度は異なる。例えば、ＲＧＢ色空間からＹＵＶ色空間に変換する場合、輝度（輝度信号）に相当するＹ信号、色信号であるＵ信号およびＶ信号は、
Ｙ＝０．２９９・Ｒ＋０．５８７・Ｇ＋０．１１４・Ｂ
Ｕ＝（Ｂ−Ｙ）／２．０３＝−０．１４７・Ｒ−０．２８９・Ｇ＋０．４３６・Ｂ
Ｖ＝（Ｒ−Ｙ）／１．１４＝０．６１５・Ｒ−０．５１５・Ｇ−０．１００・Ｂ
により、Ｒ信号、Ｇ信号およびＢ信号から導くことができる。【０００６】
上記の場合のＹ信号への変換式において、Ｒ信号、Ｇ信号およびＢ信号に乗ずる係数は、それぞれ、「０．２９９」、「０．５８７」および「０．１１４」であるので、Ｒ信号、Ｇ信号およびＢ信号のＹ信号に対する貢献度（影響度）が異なることになる（Ｇ信号に乗ずる係数が一番大きいので、Ｙ信号に対する貢献度（影響度）は、Ｇ信号が一番大きい）。
上記のことを考慮して、例えば特許文献２においては、各色の輝度への貢献度を考慮したフィルタ係数によりフィルタ処理を行うことで、表示デバイスに表示される映像（画像）において、より表示輝度を適切にすることができるサブピクセル表示技術が開示されている。
また、例えば特許文献２等においては、輝度への貢献度が低いＢ信号に着眼し、Ｂ信号により孤立してしまう発光素子がないようなパターンを選んで太字化することで、エッジのコントラスト感低下を抑制するサブピクセル精度太字化技術が開示されている。
【先行技術文献】
【特許文献】
【０００７】
【特許文献１】特許第３６４６９８１号公報
【特許文献２】特開２００３−１３１６５３号公報
【発明の概要】
【発明が解決しようとする課題】
【０００８】
しかしながら、上記従来技術では、表示デバイスに表示される映像（画像）において、色むらが発生する如何に関わらずフィルタ処理を行っており、表示デバイスに表示される映像（画像）において、必要以上にボケ感が発生する。
また、本発明者らが実験的に確認したところによると、表示デバイスに表示させる映像（画像）において、画像のエッジとエッジに挟まれた領域（画像領域）が３サブピクセルより大きい場合にも色むらは発生し、輝度貢献度の低いＢ成分（Ｂ信号）を表示させるサブピクセルがエッジから２サブピクセル目にある領域において、色むらが目立つことがわかった。しかし、上記従来技術では、この色むらの目立つ領域に特化して処理することはできない。
本発明は、上記従来技術の課題を解決するもので、表示デバイスに表示させる映像（画像）において、色むらの目立つ領域（画像領域）に対する色むら抑制処理を適切に行うことができる画像処理装置、画像処理方法、表示装置、プログラムおよび集積回路を実現することを目的とする。
【課題を解決するための手段】
【０００９】
第１の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理装置であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。【００１０】
この画像処理装置では、色むらが目立つ領域（画像領域）のみに強いフィルタ（色むら抑制強度の強いフィルタ）を施すことができるので、色むらが目立つ領域以外の領域においては、高解像度感を維持することができる。つまり、この画像処理装置により取得される画像（映像を含む。）は、高解像度感を保持したものであり、かつ、適切に色むら抑制されたものとなる。
第２の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理装置であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。【００１１】
この画像処理装置では、サブピクセル精度画像上において、エッジの位置を挟む２サブピクセルにより形成される画像領域に相当するサブピクセル精度画像信号に対してのみ強い色むら抑制強度の色むら抑制処理を行うことができるため、より適切に色むら抑制を行いつつ、高解像度感を保持した画像を取得することができる。
第３の発明は、第２の発明であって、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域であるエッジ部分画像領域に相当するサブピクセル精度画像信号に対して第１の色むら抑制強度による色むら抑制処理を実行する。また、色むら領域特定部は、サブピクセル精度画像上において、エッジ部分画像領域を挟む少なくとも１サブピクセル分の画像領域であるエッジ隣接部分画像領域に相当するサブピクセル精度画像信号に対して第１の色むら抑制強度より弱い強度である第２の色むら抑制強度による色むら抑制処理を実行する。また、色むら領域特定部は、サブピクセル精度画像上において、エッジ部分画像領域でなく、かつ、エッジ隣接部分画像領域でもない画像領域に相当するサブピクセル精度画像信号に対して第２の色むら抑制強度より弱い強度である第３の色むら抑制強度による色むら抑制処理を実行する。【００１２】
この画像処理装置では、エッジ部分画像領域に対して、色むら抑制処理を段階的に強く実行させることができるため、さらに、適切に色むら抑制を行いつつ、高解像度感を保持した画像を取得することができる。また、色むら抑制処理の程度が急激に変化することがないので、自然な色むら抑制処理を行うことができる。
第４の発明は、第１から第３のいずれかの発明であって、表示デバイスのサブピクセルの配列の情報を入力する表示デバイス配列情報入力部をさらに備える。
これにより、表示デバイスのサブピクセルの配列が異なる場合であっても、この画像処理装置により適切に色むら抑制処理を行うことができる。この画像処理装置では、例えば、表示デバイスが「ＲＧＢ」のサブピクセル配列（配置）の場合、表示デバイス配列情報入力部に「０」を入力し、表示デバイスが「ＢＲＧ」配列の場合、表示デバイス配列情報入力部に「１」を入力することで、色むら抑制処理を変更するようにできる（切り替えることができる）。【００１３】
第５の発明は、第１から第４のいずれかの発明である画像処理装置と、画像処理装置により処理された画像信号を表示させる表示部と、を備える表示装置である。
これにより、高解像度感を保持することができ、かつ、適切な色むら抑制処理を実行することができる表示装置を実現することができる。
第６の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理方法であって、サブピクセル精度画像取得ステップと、エッジ抽出ステップと、色むら領域特定ステップと、適応色むら抑制ステップと、を備える。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。【００１４】
これにより、第１の発明と同様の効果を奏する画像処理方法を実現することができる。
第７の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理方法であって、サブピクセル精度画像取得ステップと、エッジ抽出ステップと、色むら領域特定ステップと、適応色むら抑制ステップと、を備える。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。【００１５】
これにより、第２の発明と同様の効果を奏する画像処理方法を実現することができる。
第８の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理をコンピュータに実行させるプログラムである。このプログラムは、コンピュータに、サブピクセル精度画像取得ステップと、エッジ抽出ステップと、色むら領域特定ステップと、適応色むら抑制ステップと、を実行させる。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。【００１６】
これにより、第１の発明と同様の効果を奏するプログラムを実現することができる。
第９の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理をコンピュータに実行させるプログラムである。このプログラムは、コンピュータに、サブピクセル精度画像取得ステップと、エッジ抽出ステップと、色むら領域特定ステップと、適応色むら抑制ステップと、を実行させる。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定ステップでは、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。【００１７】
これにより、第２の発明と同様の効果を奏するプログラムを実現することができる。
第１０の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する集積回路であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。【００１８】
これにより、第１の発明と同様の効果を奏する集積回路を実現することができる。
第１１の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する集積回路であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。【００１９】
これにより、第２の発明と同様の効果を奏する集積回路を実現することができる。
第１２の発明は、第１０または第１１の発明であって、表示デバイスのサブピクセルの配列の情報を入力する表示デバイス配列情報入力部をさらに備える。
【発明の効果】
【００２０】
本発明によれば、表示デバイスに表示させる映像（画像）において、色むらの目立つ領域（画像領域）に対する色むら抑制処理を適切に行うことができる画像処理装置、画像処理方法、表示装置、プログラムおよび集積回路を実現することができる。
【図面の簡単な説明】
【００２１】
【図１】本発明の第１実施形態における表示装置１０００の構成を示すブロック図。
【図２】本発明の第１実施形態におけるエッジ抽出部１０３のデジタルフィルタの例。
【図３】本発明の第１実施形態の表示装置１０００の色むら領域を特定する処理を説明するための図。
【図４】色むら領域特定部１０４の処理を示すフローチャート。
【図５】サブピクセルのピクセル位置と、サブピクセルのＹ信号への影響度についての説明図。
【図６】適応色むら抑制部１０５の処理を示すフローチャート。
【図７】本発明の第１実施形態の表示装置１０００の適応色むら抑制処理を説明するための図。
【図８】本発明の第１実施形態の第１変形例における色むら領域を特定する処理を説明するための図。
【図９】本発明の第１実施形態の第１変形例における適応色むら抑制処理を説明するための図。
【図１０】本発明の第１実施形態の第２変形例における適応色むら抑制処理を説明するための図。
【図１１】表示デバイスの配列と、データ列との関係、およびピクセルとサブピクセルとの関係を説明するための図。
【発明を実施するための形態】
【００２２】
以下本発明の実施の形態について、図面を参照しながら説明する。
［第１実施形態］
＜１．１：表示装置の構成＞
図１は、本発明の第１実施形態における表示装置１０００のブロック図である。
表示装置１０００は、入力信号を処理し、表示デバイス１１０に信号を出力する信号処理部１００と、信号処理部１００の出力するＲＧＢデータを表示する表示デバイス１１０と、を備える。
信号処理部１００は、発光素子（サブピクセル）の個数にあわせた精度を持つサブピクセル精度の画像を取得するサブピクセル精度画像取得部１０１と、サブピクセル精度画像取得部１０１から出力される映像（画像）信号の色空間ＲＧＢを輝度情報（ＩｎＹ信号）と色度情報（ｕ信号、ｖ信号）とから構成されるＹＵＶ色空間に変換する色変換部１０２と、を備える。また、信号処理部１００は、サブピクセル精度の画像データ（映像（画像）信号）におけるエッジ情報を抽出するエッジ抽出部１０３と、エッジ抽出部１０３の抽出したエッジ情報をもとに色むらが発生する画像領域を特定する色むら領域特定部１０４と、を備える。さらに、信号処理部１００は、色変換部１０２から出力されるＩｎＹ信号に対して適応色むら抑制処理を行う適応色むら抑制部１０５と、適応色むら抑制部１０５から出力された輝度情報（ＯｕｔＹ信号）と色変換部１０２から出力されたｕ信号およびｖ信号とからＲ、Ｇ、Ｂの各サブピクセルのデータ（映像（画像）信号）（ＯｕｔＲＧＢ信号）を生成するサブピクセルマッピング部１０６と、を備える。
【００２３】
表示デバイス１１０は、信号処理部１００から出力されるＯｕｔＲＧＢ信号を入力とし、ＯｕｔＲＧＢ信号により構成される映像（画像）を表示する。
以下に、各構成要素について、詳細に説明する。
サブピクセル精度画像取得部１０１は、発光素子（サブピクセル）の個数に一致する精度を持つサブピクセル精度の画像（画像信号）を取得する。なお、説明便宜のために、本実施形態の発光素子数は、表示画素数に対し、表示画面（画像信号により形成される画像）の水平方向に３倍の数であるものとする。サブピクセル精度画像取得部１０１は、表示画面の水平方向に表示画素の３倍の画像データを有する映像（画像）信号を取得する。例えば、表示画面の（水平方向の）１ラインの画素数が「Ｘ」であるとすると、サブピクセル精度画像取得部１０１は、当該１ラインを形成する映像（画像）信号として、「３Ｘ」分の画像データを有する映像（画像）信号を取得する。
【００２４】
色変換部１０２は、ＲＧＢ色空間の入力映像（画像）信号をＹＵＶ色空間の映像（画像）信号に変換する。具体的には、色変換部１０２は、サブピクセル精度画像取得部１０１から出力されるＲＧＢ色空間の映像（画像）信号を入力とし、入力されたＲＧＢ色空間の映像（画像）信号を、輝度情報の信号（ＩｎＹ信号）および色度情報の信号（ｕ信号，ｖ信号）に変換する。
本実施形態では、信号処理部１００への入力信号と信号処理部１００からの出力信号とは、いずれもＲＧＢ色空間で表現され、信号処理部１００の内部処理はＹＵＶ色空間で行われることにしている。しかしながら、信号処理部１００の内部処理で使用される輝度情報は、ＹＣｂＣｒ色空間の輝度情報（Ｙ）やＬａｂ色空間の輝度情報（Ｌ）等、種々の輝度情報であってもよい。また、色空間の変換が必要なければ、色変換部１０２は省略できる。なお、色変換部１０２が使用する変換式は、周知のもので差し支えなく、本発明は色変換を骨子とするものではないから、詳細な説明は省略する。
【００２５】
なお、サブピクセル精度画像取得部１０１と、色変換部１０２と、の配置は、図１に示すものに限らず、色変換部１０２の後段にサブピクセル精度画像取得部１０１を配置する構成としてもよい。このような構成とすると、サブピクセル精度画像取得部１０１では、輝度信号に対してのみ補間処理を施せばよいことになるので、ハードウェアにより実現する場合、回路規模を少なくすることができる。
エッジ抽出部１０３は、色変換部１０２から出力されるＩｎＹ信号を入力とし、ＩｎＹ信号から、サブピクセル精度の画像データにおけるエッジ情報を抽出する。エッジ抽出部１０３は、例えば、ハイパスフィルタ等のフィルタ処理を利用することにより、サブピクセル精度のＩｎＹ信号からエッジ情報を抽出する。エッジ抽出部１０３は、抽出したエッジ情報を色むら領域特定部１０４に出力する。
【００２６】
色むら領域特定部１０４は、エッジ抽出部１０３により抽出されたエッジ情報を入力とし、エッジ抽出部１０３により抽出されたエッジ情報に基づいて、ＩｎＹ信号が形成する画像において色むらが発生する画像領域を特定する。そして、色むら領域特定部１０４は、特定した色むらが発生する画像領域に関する情報を適応型色むら抑制部１０５に出力する。
適応色むら抑制部１０５は、色変換部１０２から出力されるＩｎＹ信号および色むら領域特定部１０４から出力される色むらが発生する画像領域に関する情報を入力とし、色むら領域特定部１０４から出力される色むらが発生する画像領域に関する情報に基づいて、ＩｎＹ信号に対して適応的に色むらを抑制する処理を行う。そして、適応色むら抑制部１０５は、色むらを抑制したＩｎＹ信号をＯｕｔＹ信号として、サブピクセルマッピング部１０６に出力する。
【００２７】
サブピクセルマッピング部１０６は、適応色むら抑制部１０５から出力されるＯｕｔＹ信号と、色変換部１０２から出力されるｕ信号およびｖ信号と、を入力とし、ＯｕｔＹ信号、ｕ信号およびｖ信号からＯｕｔＲＧＢ信号を生成し、表示デバイス１１０に出力する。つまり、サブピクセルマッピング部１０６は、ＹＵＶ色空間の映像（画像）信号であるＯｕｔＹ信号、ｕ信号およびｖ信号に対して、ＹＵＶ−ＲＧＢ色空間変換を行うことで、ＯｕｔＹ信号、ｕ信号およびｖ信号を、ＲＧＢ色空間の映像（画像）信号であるＯｕｔＲＧＢ信号に変換する。そして、色空間変換した映像（画像）信号ＯｕｔＲＧＢ信号を表示デバイス１１０に出力する。
表示デバイス１１０は、サブピクセルマッピング部１０６から出力されるＯｕｔＲＧＢ信号を入力とし、表示デバイス１１０の表示画面に、ＯｕｔＲＧＢ信号により形成される映像（画像）を表示させる。表示デバイス１１０は、カラーＬＣＤ、カラープラズマディスプレイ等のように、１画素を複数の発光素子で構成する表示画面を備えた表示デバイスである。本実施形態では、表示デバイス１１０として、表示デバイス１１０の１画素を構成する発光素子は、ＲＧＢ３原色のそれぞれを発光するものとし、それらの発光素子の表示画面上の配列（配置）順序は、表示デバイス１１０の表示画面の水平方向（ライン方向）に、Ｒ用発光素子、Ｇ用発光素子、Ｂ用発光素子の順に配列されているものとする。なお、表示デバイス１１０の発光素子の配列順序は、上記のように、表示デバイス１１０の表示画面の水平方向（ライン方向）に、Ｒ、Ｇ、Ｂの順に配列されるものに限定されるものではなく、例えば、表示デバイス１１０の表示画面の水平方向（ライン方向）に、Ｂ、Ｒ、Ｇの順に配列されるものであってもよい。また、他の配列のものであってもよい。
【００２８】
なお、本実施形態の信号処理部１００が「画像処理装置」に相当する。
＜１．２：表示装置の動作＞
以上のように構成された表示装置１０００の動作について、以下説明する。
画素（ピクセル）精度の映像（画像）信号であるＩｎＲＧＢ信号は、サブピクセル精度画像取得部１０１により、サブピクセル精度の映像信号に変換され、色変換部１０２に出力される。なお、ここで、ＩｎＲＧＢ信号は、ＲＧＢ色空間の映像信号であるものとする。
本実施形態では、ピクセル精度画像（ピクセル精度の映像（画像）信号）からサブピクセル精度画像（３倍データ）（サブピクセル精度の映像（画像）信号）を補間処理により取得する。この補間処理の手法は一般のものでかまわないが、望ましくは、映像（画像）信号が形成する映像（画像）の高域成分の情報を精度よく推定して補間する手法であることが望ましい。
【００２９】
なお、特開２００５−１２８１７３号公報に開示されているように、グラフィックスエンジンなどでもともと３倍のデータを生成する手法により、サブピクセル精度画像取得部１０１での処理を実現させるようにしてもよい。また、特開２００２−４０９８５号公報に開示されている技術のように、表示サイズよりも大きな画像を表示サイズにあわせて縮小して表示させる場合に、３倍データを取得することで、サブピクセル精度画像取得部１０１での処理を実現させるようにしてもよい。このようにすれば、補間処理により映像（画像）信号が形成する映像（画像）の高域成分を生成する手法に比べて、データの持つ高域情報を有効に利用することができ、より解像度感の高い映像（画像）（サブピクセル精度の映像（画像））を取得することができる。
サブピクセル精度画像取得部１０１により、サブピクセル精度に変換された映像信号は、色変換部１０２により、ＲＧＢ−ＹＵＶ色空間変換が実行される。ＲＧＢ−ＹＵＶ色空間変換された輝度情報を含む映像信号であるＩｎＹ信号は、エッジ抽出部１０３および適応色むら抑制部１０５に出力される。また、ＲＧＢ−ＹＵＶ色空間変換された色情報を含む映像信号であるｕ信号およびｖ信号は、サブピクセルマッピング部１０６に出力される。
【００３０】
エッジ抽出部１０３では、エッジ抽出部１０３に入力されたＩｎＹ信号からエッジ情報が抽出される。
一例として、図２に示すような３×３のデジタルフィルタを施すことにより、ＩｎＹ信号からエッジ情報を抽出することが好ましい。図２中の中心にある数字は、注目するサブピクセル（処理対象となっているサブピクセル）に対する重み係数を表し、その周囲の８つの数字は、注目するサブピクセルに隣接する周辺８サブピクセルに対する重み係数を表している。すなわち、このデジタルフィルタは、注目サブピクセルとその周辺のサブピクセルとに対する重み付け平均処理を行うフィルタである。
このデジタルフィルタをＩｎＹ信号に対して実行させた場合、注目するサブピクセル（処理対象のサブピクセル）と、その右隣のサブピクセルとの間にエッジ（ＩｎＹ信号が形成する映像（画像）上のエッジ）があるときには、このデジタルフィルタからは大きな値（絶対値）が出力され、また、エッジがないときには、このデジタルフィルタからは小さな値が出力される。
【００３１】
このデジタルフィルタからの出力結果をもとに、ＩｎＹ信号が形成する映像（画像）上のエッジを特定することができる。すなわち、デジタルフィルタの出力値に対して絶対値をとり、閾値より大きい場合には、注目サブピクセル（処理対象となっているＩｎＹ信号）は、エッジである（エッジ領域に含まれている）と判定する。ここで、閾値は、例えば、「３２」とする（輝度情報ＩｎＹ（ＩｎＹ信号）が８ｂｉｔの場合）が、他の値でもかまわないし、変動閾値としてもかまわない。
なお、図２のデジタルフィルタは一例であり、他のデジタルフィルタを用いてもかまわない。また、１次元のデジタルフィルタを用いてもかまわない。いずれにせよ、サブピクセルの並び方向（サブピクセルを水平方向（ライン方向）と垂直方向に配列している場合は、水平方向（ライン方向）に相当する方向）におけるエッジの位置を特定できるフィルタであればよい。
【００３２】
以上により、エッジ抽出部１０３により抽出されたエッジ情報は、色むら領域特定部１０４に出力される。
色むら領域特定部１０４では、エッジ抽出部１０３により抽出されたエッジ情報から色むら領域を特定する。具体的には、色むら領域特定部１０４では、エッジ抽出部１０３により抽出されたエッジ情報から特定されるエッジのある位置（画像上の位置）と、Ｂ成分のサブピクセルとの位置関係により、色むら領域を特定する。さらに具体的には、色むら領域特定部１０４では、エッジのある位置より２サブピクセル目にＢ成分のサブピクセルがある領域を色むら領域と判定する。
これについて、図３および図４を用いて説明する。なお、本実施形態では、１画素を構成する３サブピクセルを単位として色むら領域を特定する。
【００３３】
図３（ａ）は、処理対象である３サブピクセル（画素Ｂを構成する３つのサブピクセル）と、それに隣接する画素（画素Ａおよび画素Ｃ）を示したものである。また、図３（ｂ）および（ｃ）は、画素Ａ〜Ｃのサブピクセルと、色むら判定結果との関係を示す図である。なお、図３は、画素ＡおよびＣの領域にエッジがない場合の図である。
図３（ａ）において、Ｙは輝度情報を示し、添え字の１、２、３は、後述するサブピクセルマッピング部１０６において、Ｒ，Ｇ，Ｂのどのサブピクセルの位置にマッピングされる輝度情報であるかを示している。
例えば、表示デバイスの１画素がＲ，Ｇ，Ｂの順に並ぶ３つのサブピクセルで構成される場合、Ｙ１はＲ成分のサブピクセルの輝度情報に相当し、Ｙ２はＧ成分のサブピクセルの輝度情報に相当し、Ｙ３はＢ成分のサブピクセルの輝度情報に相当することを意味している。
【００３４】
また、点線で示した矩形は、注目する３サブピクセルの左右に隣接する３サブピクセルに対応する輝度情報を示している。
図４に、色むら領域特定部１０４の処理フローを示す。
色むら領域特定部１０４では、エッジ抽出部１０３により特定されたエッジ位置を参照し（ステップＳ３０１）、図３（ａ）のｘの位置にエッジがあるか否かを判定する（ステップＳ３０２）。図３（ａ）のｘの位置にエッジがあると判定された場合、画素Ｂを構成する３サブピクセルを色むら領域とする（ステップＳ３０３）。また、それ以外の場合、すなわち、ｙの位置またはｚの位置にエッジがある場合、または、エッジがない場合には、画素Ｂを構成する３サブピクセルを色むら領域としない。
図３（ｂ）に示すように、位置ｘにエッジがあり、かつ、画素ＡおよびＣの領域にはエッジがない場合、画素Ｂの領域（すなわち、画素Ｂの３サブピクセルの領域）のみを色むら領域と判定する。なお、図３（ｂ）および（ｃ）において縦軸の「０」および「１」は、色むら領域の判定結果を示しており、「０」であれば、色むら領域ではないと判定されたことを示しており、「１」であれば、色むら領域であると判定されたことを示している。
【００３５】
また、図３（ｃ）に示すように、位置ｘにエッジがない場合（すなわち、位置ｙまたはｚにエッジがある場合および画素Ｂの領域に全くエッジがない場合）、画素Ｂの領域（すなわち、画素Ｂの３サブピクセルの領域）は、色むら領域でないと判定する。
このようにして、色むら領域特定部１０４では、色むら領域が特定される。
なお、本実施形態では、水平方向（ライン方向）にＲＧＢの順にサブピクセルが配置された表示デバイスに表示する際の信号処理について説明しているが、表示デバイスのサブピクセルの配置は、ＲＧＢの順に限らない。表示デバイスのサブピクセルの配置順（配列の順番）がどのようなものであっても、色むら領域特定部１０４での色むら領域特定処理は、エッジより２サブピクセル目にＢ成分のサブピクセルがくるようなデータパターンを色むら領域と特定すればよい。
【００３６】
色むら発生に関して、図５を用いて説明する。
図５（ａ）は、画素Ａ〜Ｃと、そのサブピクセルとの位置関係を示す図である。図５（ｂ）は、図５（ａ）の画素Ａ〜Ｃのサブピクセルのピクセル位置（サブピクセル位置）とサブピクセルのＹ信号への影響度（Ｙ信号に変換するときの変換係数）との関係を示した図である。
ＲＧＢ色空間からＹＵＶ色空間に変換する場合、輝度（輝度信号）に相当するＹ信号、色信号であるＵ信号およびＶ信号は、
Ｙ＝０．２９９・Ｒ＋０．５８７・Ｇ＋０．１１４・Ｂ
Ｕ＝（Ｂ−Ｙ）／２．０３＝−０．１４７・Ｒ−０．２８９・Ｇ＋０．４３６・Ｂ
Ｖ＝（Ｒ−Ｙ）／１．１４＝０．６１５・Ｒ−０．５１５・Ｇ−０．１００・Ｂ
により、Ｒ信号、Ｇ信号およびＢ信号から導くことができる。
【００３７】
上記の場合のＹ信号への変換式において、Ｒ信号、Ｇ信号およびＢ信号に乗ずる係数は、それぞれ、「０．２９９」、「０．５８７」および「０．１１４」であるので、Ｒ信号、Ｇ信号およびＢ信号のＹ信号に対する貢献度（影響度）が異なることになる（Ｇ信号に乗ずる係数が一番大きいので、Ｙ信号に対する貢献度（影響度）は、Ｇ信号が一番大きい）。
なお、図５（ｂ）においては、説明便宜のために、乗算係数（上記Ｙを導く式の乗算係数）において、小数点２位以下を四捨五入している。
図５（ｂ）に示すように、Ｂ成分のＹ信号への影響度「０．１」が小さいため、図５（ｂ）のｘ１あるいはｘ２の位置（つまり、Ｂ成分のサブピクセルから２サブピクセル離れた位置）にエッジがある場合、色ずれが発生する可能性が高い。これは、実験的に本発明者らが見出したのである。エッジから２サブピクセル離れた位置にＢ成分のサブピクセルが存在すると、当該Ｂ成分のサブピクセルのＹ信号に対する影響度が低いため、人間の視覚特性上、当該Ｂ成分のサブピクセルの両側の領域を分けて認識してしまうと考えられる。つまり、図５（ｂ）に示すように、位置ｘ１またｘ２の位置にエッジがあり、かつ、その２サブピクセル離れた位置にＢ成分のサブピクセルがある場合、人間は、図５（ｂ）の領域ａと領域ｂとを分けて認識してしまうと考えられる。
【００３８】
このため、色むら領域特定部１０４での色むら領域特定処理では、エッジより２サブピクセル目にＢ成分のサブピクセルがあるか否かに基づいて判定（特定）処理を行う。
以上のようにして色むら領域特定部１０４により特定された色むら領域に関する情報は、適応色むら抑制部１０５に出力される。
適応色むら抑制部１０５において、色変換部１０２から出力されたＩｎＹ信号は、色むら領域特定部１０４により特定された色むら領域に関する情報に基づいて、適応色むら抑制処理が施される。
適応色むら抑制部１０５での適応色むら抑制処理について、以下説明する。
適応色むら抑制部１０５において、色むらを抑制する処理をする際に、色むら領域特定部１０４により特定された色むら領域に対しては、異なる色むら抑制処理を施す。すなわち、色むら領域特定部１０４により特定された色むら領域に対しては、色むら領域と判定されなかった領域よりも強い抑制処理を施す。
【００３９】
これについて、図６および図７を用いて説明する。
図６に、適応色むら抑制部１０５での適応色むら抑制処理のフローチャートを示す。
まず、処理対象としているサブピクセル（このサブピクセルに対応するＩｎＹ信号）が、色むら領域であるか否かを、色むら領域特定部１０４から出力された色むら領域に関する情報に基づいて、判定する（ステップＳ４０１）。そして、ステップＳ４０１により、色むら領域であると特定された領域に対しては、強い抑制処理を実現するフィルタＳを施す（ステップＳ４０２）。一方、ステップＳ４０１により色むら領域と特定されなかった領域に対しては、弱い抑制処理を実現するフィルタＷを施す（ステップＳ４０３）。
サブピクセル単位でサンプリングした場合のナイキスト周波数を「１．０」とした場合、フィルタＳは、例えばカットオフ周波数「０．２５」のローパスフィルタである。また、フィルタＷは、例えばカットオフ周波数「０．３５」のローパスフィルタである。
【００４０】
なお、上記フィルタＳ、フィルタＷは一例であり、色むら領域に対する処理を実現するフィルタＳのカットオフ周波数の方が低いフィルタであればよい。また、フィルタＳのカットオフ周波数は「０．３３」より低いローパスフィルタであり、フィルタＷのカットオフ周波数は「０．３３」より高いローパスフィルタであることが好ましい。このように、フィルタＳおよびフィルタＷのカットオフ周波数を設定することで、フィルタＳによる色むら抑制度合い（平滑化度合い）を強くすることができ、かつ、フィルタＷによる色むら抑制度合い（平滑化度合い）を弱くすることができる。
つまり、上記のようなフィルタＳおよびフィルタＷを用いた処理を行うことで、色ずれの目立たない領域では、ＩｎＹ信号の高域成分が保持されるので、表示装置１０００により取得される映像（画像）において、ピクセル精度以上の高域成分が損なわれない。その結果、表示装置１０００により取得される映像（画像）を表示させた場合、ピクセル精度以上の高域成分が適切に再現された映像（画像）が表示される。また、上記のようなフィルタＳおよびフィルタＷを用いた処理を行うことで、色ずれの目立つ領域では、色むら抑制度合い（平滑化度合い）を強いフィルタＳによる処理が実行されるので、表示装置１０００により、十分に色ずれが抑制された映像（画像）を取得することができる。
【００４１】
適応色むら抑制部１０５でのフィルタ選択処理について、図７を用いて、具体的に説明する。
図７（ａ）に、画素Ａ〜Ｃとそのサブピクセルの位置関係を示す図を、図７（ｂ）に、画素Ａ〜Ｃのサブピクセルについての色むら判定結果を示す図を、図７（ｃ）に、図７（ｂ）の場合における適応色むら抑制部１０５で選択されるフィルタを示す図を、それぞれ、示す。
図７（ｂ）は、位置ｘにエッジがある場合で、かつ、画素ＡおよびＣの領域にエッジがない場合を示している。この場合、適応色むら抑制部１０５で選択されるフィルタは、図７（ｃ）のようになる。つまり、色むら領域である画素Ｂの領域では、色むら抑制度合いの強いフィルタＳが選択され、色むら領域ではない画素ＡおよびＣの領域では、色むら抑制度合いの弱いフィルタＷが選択される。
【００４２】
このように、適応色むら抑制部１０５で処理されることで、色むら領域では色むらを抑制し、かつ、色むら領域でない領域では高域成分を維持することができる。
なお、上記では、色むら領域でない領域に対してもフィルタ処理（フィルタＷによる処理）を行うようにしているが、これに限定されることはなく、例えば、色むら領域でない領域に対しては、フィルタ処理を実行しない（すなわち、入力信号をスルーで出力する）ようにしてもよい。
以上により、適応色むら抑制部１０５により適応色むら処理が実行されたＩｎＹ信号は、ＯｕｔＹ信号として、適応色むら抑制部１０５からサブピクセルマッピング部１０６へと出力される。
サブピクセルマッピング部１０６では、適応色むら抑制部１０５から出力されるサブピクセル精度の輝度情報（ＯｕｔＹ信号）と、色変換部１０２から出力されるピクセル精度の色度情報（ｕ信号およびｖ信号）とから、Ｒ、Ｇ、Ｂの各サブピクセルのデータが生成される。つまり、ＹＵＶ色空間の映像（画像）信号であるＯｕｔＹ信号とｕ信号およびｖ信号とは、ＹＵＶ−ＲＧＢ色空間変換処理により、ＲＧＢ色空間の映像（画像）信号であるＯｕｔＲＧＢ信号に変換される。そして、サブピクセルマッピング部１０６によりＹＵＶ−ＲＧＢ色空間変換処理がなされたＯｕｔＲＧＢ信号は、表示デバイス１１０に出力される。
【００４３】
なお、ここで、ＹＵＶ−ＲＧＢ色空間変換処理については、公開されている方法によるものでかまわなく、例えば、特許第３４７６７８７号公報に記載されている方法により行えばよい。
サブピクセルマッピング部１０６から出力されたＯｕｔＲＧＢ信号は、表示デバイス１１０により、表示デバイス１１０の表示画面に、映像（画像）として表示される。
以上の通り、表示装置１０００では、色むらが目立つ領域（画像領域）のみに強いフィルタ（色むら抑制強度の強いフィルタ）を施すことができるので、色むらが目立つ領域以外の領域においては、高解像度感を維持することができる。つまり、表示装置１０００により、高解像度感を保持した映像（画像）の表示と、当該映像（画像）における色むら抑制とを両立させることができる。
【００４４】
≪第１変形例≫
次に、本実施形態の第１変形例について、図８および図９を用いて説明する。
第１変形例では、色むら領域特定部１０４により特定する色むら領域を２サブピクセル分の領域とする点と、適応色むら抑制部１０５での処理が上記実施形態と異なる。
図８（ａ）は、処理対象である３サブピクセル（画素Ｂを構成する３つのサブピクセル）と、それに隣接する画素（画素Ａおよび画素Ｃ）を示したものである。また、図８（ｂ）および（ｃ）は、画素Ａ〜Ｃのサブピクセルと、色むら判定結果との関係を示す図である。なお、図８は、画素ＡおよびＣの領域にエッジがない場合の図である。また、図９に、画素Ａ〜Ｃの位置関係と、色むら領域特定部１０４による色むら領域判定結果と、適応色むら抑制部１０５で選択されるフィルタと、を示す。
【００４５】
図８（ｂ）に示すように、色むら領域特定部１０４は、位置ｘにエッジが存在し、かつ、画素ＡおよびＣの領域にエッジが存在しない場合、画素ＢのサブピクセルＹ１およびＹ２の領域（エッジを囲む２サブピクセル分の領域）を色むら領域と判定する。
また、図８（ｃ）に示すように、色むら領域特定部１０４は、位置ｘにエッジが存在せず、かつ、画素ＡおよびＣの領域にエッジが存在しない場合、画素Ａ〜Ｃの全ての領域を色むら領域ではないと判定する。
次に、適応型色むら抑制部１０５は、図９に示すように、色むら領域特定部１０４により色むら領域と判定された画素ＢのサブピクセルＹ１およびＹ２の領域に対して、色むら抑制強度の強いフィルタＳを選択し、それ以外の領域に対しては、色むら強度の弱いフィルタＷを選択して、適応色むら抑制処理を行う。
【００４６】
以上により、第１変形例によれば、より細かな領域（画像領域）に対して、適応的に色むら抑制処理を行うことができるため、より精度の高い色むら抑制処理を実現させることができる。
≪第２変形例≫
次に、本実施形態の第２変形例について、図１０を用いて説明する。
第２変形例では、色むら領域特定部１０４により特定する色むら領域を２サブピクセル分の領域とする点と、適応色むら抑制部１０５において、３種類のフィルタを使用する点とが、上記実施形態と異なる。
図１０に、画素Ａ〜Ｃの位置関係と、色むら領域特定部１０４による色むら領域判定結果と、適応色むら抑制部１０５で選択されるフィルタと、を示す。
【００４７】
第２変形例では、適応色むら抑制部１０５は、フィルタＳおよびフィルタＷに加えて、フィルタＳおよびフィルタＷの中間の色むら抑制強度を持つフィルタＭを備える。つまり、フィルタＭのカットオフ周波数は、フィルタＳのカットオフ周波数とフィルタＷのカットオフ周波数の中間の領域の値である。
第２変形例では、図１０に示すように、色むら領域特定部１０４により色むら領域と判定された画素ＢのサブピクセルＹ１およびＹ２の領域（エッジを囲む２サブピクセル分の領域）に対して、色むら抑制強度の最も強いフィルタＳによるフィルタ処理が実行される。そして、色むら領域に隣接するサブピクセルである画素ＡのＹ３の領域および画素ＢのＹ３の領域に対しては、色むら抑制強度の中間のフィルタＭによるフィルタ処理が実行される。そして、それ以外の領域に対しては、色むら抑制強度の最も弱いフィルタＷによるフィルタ処理が実行される。
【００４８】
第２変形例では、フィルタの色むら抑制強度が段階的に変化することになるので、サブピクセル間での急激な変化（副作用等）を発生させることがなく、より適切な色むら抑制処理を実行することができる。
なお、適応色むら抑制部１０５による、フィルタは３種類のものに限定されることはなく、色むら抑制強度の異なる４種類以上のフィルタを用意し、段階的に変化させるようにしてもよい。
また、上記では、色むら領域と判定された領域に隣接する領域として１サブピクセル分の領域に対してフィルタＭをかけているが、これに限定されることはなく、色むら領域と判定された領域に隣接する複数のサブピクセル分の領域に対して中間の色むら抑制強度を有するフィルタをかけるようにしてもよい。
【００４９】
また、適応色むら抑制部１０５において、フィルタＳ、フィルタＭおよびフィルタＷを、それぞれ独立に備える構成としてもよいが、これに限定されることはなく、例えば、フィルタ係数を可変にすることで、３種類（複数種類）のフィルタを実現させる構成としてもよいことは言うまでもない。
［他の実施形態］
上記実施形態では、表示デバイス１１０のサブピクセルの配列（配置）が、ＲＧＢの順番に配列（配置）されているものに対して固定的に処理する表示装置１０００について説明した。これに限定されることなく、例えば、上記実施形態に係る表示装置１０００の信号処理部１００に、表示デバイス切替用ＩＦ部をさらに設け、当該表示デバイス切替用ＩＦ部から所定の情報を入力することで、信号処理部１００での処理を切り替えるようにしてもよい。
【００５０】
具体的には、例えば、表示デバイス１１０が「ＲＧＢ」配列の表示デバイスである場合、表示デバイス切替用ＩＦ部に「０」を入力することで、信号処理部１００の各機能部が「ＲＧＢ」配列の表示デバイス用の処理を実行するように設定されるようにする。また、表示デバイス１１０が「ＢＲＧ」配列の表示デバイスである場合、表示デバイス切替用ＩＦ部に「１」を入力することで、信号処理部１００の各機能部が「ＢＲＧ」配列の表示デバイス用の処理を実行するように設定されるようにする。
これにより、信号処理部１００の処理を、多様な配列パターンを有する表示デバイスに対応させることができる。
なお、上記実施形態で説明した表示装置において、各ブロックは、ＬＳＩなどの半導体装置により個別に１チップ化されてもよいし、一部または全部を含むように１チップ化されてもよい。
【００５１】
なお、ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路または汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてあり得る。
また、上記実施形態の各処理をハードウェアにより実現してもよいし、ソフトウェアにより実現してもよい。さらに、ソフトウェアおよびハードウェアの混在処理により実現してもよい。なお、上記実施形態に係る表示装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【００５２】
なお、本発明の具体的な構成は、前述の実施形態に限られるものではなく、発明の要旨を逸脱しない範囲で種々の変更および修正が可能である。
【産業上の利用可能性】
【００５３】
本発明は、画質向上のための画像処理装置および画像処理方法に利用可能である。
本発明に係る画像処理装置、画像処理方法、表示装置、プログラムおよび集積回路は、映像信号の色むら抑制を効果的に行うことができるので、映像機器関連産業分野において、有用であり、本発明は、当該分野において実施することができる。
【符号の説明】
【００５４】
１０００  表示装置
１００  信号処理部（画像処理装置）
１０１  サブピクセル精度画像取得部
１０２  色変換部
１０３  エッジ抽出部
１０４  色むら領域特定部
１０５  適応色むら抑制部
１０６  サブピクセルマッピング部
１１０  表示デバイス
【図１】
2009147792.tif 000003
【図２】
2009147792.tif 000004
【図３】
2009147792.tif 000005
【図４】
2009147792.tif 000006
【図５】
2009147792.tif 000007
【図６】
2009147792.tif 000008
【図７】
2009147792.tif 000009
【図８】
2009147792.tif 000010
【図９】
2009147792.tif 000011
【図１０】
2009147792.tif 000012
【図１１】
2009147792.tif 000013
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理装置であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
画像処理装置。
【請求項２】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理装置であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
画像処理装置。
【請求項３】
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域であるエッジ部分画像領域に相当する前記サブピクセル精度画像信号に対して第１の色むら抑制強度による色むら抑制処理を実行し、
前記サブピクセル精度画像上において、前記エッジ部分画像領域を挟む少なくとも１サブピクセル分の画像領域であるエッジ隣接部分画像領域に相当する前記サブピクセル精度画像信号に対して前記第１の色むら抑制強度より弱い強度である第２の色むら抑制強度による色むら抑制処理を実行し、
前記サブピクセル精度画像上において、前記エッジ部分画像領域でなく、かつ、前記エッジ隣接部分画像領域でもない画像領域に相当する前記サブピクセル精度画像信号に対して前記第２の色むら抑制強度より弱い強度である第３の色むら抑制強度による色むら抑制処理を実行する、
請求項２に記載の画像処理装置。
【請求項４】
表示デバイスのサブピクセルの配列の情報を入力する表示デバイス配列情報入力部をさらに備える、
請求項１から３のいずれかに記載の画像処理装置。
【請求項５】
請求項１から４のいずれかに記載の画像処理装置と、
前記画像処理装置により処理された画像信号を表示させる表示部と、
を備える表示装置。
【請求項６】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理方法であって、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を備え、
前記色むら領域特定ステップでは、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
画像処理方法。
【請求項７】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理方法であって、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を備え、
前記色むら領域特定ステップでは、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
画像処理方法。
【請求項８】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理をコンピュータに実行させるプログラムであって、
コンピュータに、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を実行させるプログラムであって、
前記色むら領域特定ステップでは、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
プログラム。
【請求項９】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する画像処理をコンピュータに実行させるプログラムであって、
コンピュータに、
前記サブピクセルの個数に相当する精度であるサブピクセル精度画像を形成するサブピクセル精度画像信号を取得するサブピクセル精度画像取得ステップと、
前記サブピクセル精度画像信号からエッジ情報を抽出するエッジ抽出ステップと、
前記前記エッジ情報から、前記サブピクセル精度画像上において色むらが発生する画像領域である色むら領域を特定する色むら領域特定ステップと、
前記色むら領域特定ステップにより特定された前記色むら領域の情報に基づいて、前記サブピクセル精度画像信号に対して色むら抑制処理を行う適応色むら抑制ステップと、
を実行させるプログラムであって、
前記色むら領域特定ステップでは、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出ステップにより抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
プログラム。
【請求項１０】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する集積回路であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記Ｂ成分用サブピクセルを含む画素が形成する画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度である第２の色むら抑制強度による色むら抑制処理を実行する、
集積回路。
【請求項１１】
Ｒ（赤）成分用サブピクセル、Ｇ（緑）成分用サブピクセルおよびＢ（青）成分用サブピクセルから構成される画素を第１の方向に並設して１ラインを構成し、前記１ラインを第１の方向と直交する第２の方向に複数設けて表示画面を構成する表示デバイスに表示させる画像信号を処理する集積回路であって、
前記サブピクセルの個数に相当する精度であるサブピクセル精度画像を形成するサブピクセル精度画像信号を取得するサブピクセル精度画像取得部と、
前記サブピクセル精度画像信号からエッジ情報を抽出するエッジ抽出部と、
前記前記エッジ情報から、前記サブピクセル精度画像上において色むらが発生する画像領域である色むら領域を特定する色むら領域特定部と、
前記色むら領域特定部により特定された前記色むら領域の情報に基づいて、前記サブピクセル精度画像信号に対して色むら抑制処理を行う適応色むら抑制部と、
を備え、
前記色むら領域特定部は、
前記エッジ抽出部により抽出された前記サブピクセル精度画像上のエッジの位置が、前記サブピクセル精度画像上において、Ｂ成分用サブピクセルから２サブピクセル分だけ離れた位置に存在する場合、前記サブピクセル精度画像上において、前記エッジの位置を挟む２サブピクセルにより形成される画像領域に相当する前記サブピクセル精度画像信号に対して第１の色むら抑制強度による色むら抑制処理を実行し、
前記エッジ抽出部により抽出された前記サブピクセル精度画像上のエッジの位置が、前記サブピクセル精度画像上において、Ｂ成分用サブピクセルから２サブピクセル分だけ離れた位置に存在しない場合、前記Ｂ成分用サブピクセルを含む画素が形成する画像領域に相当する前記サブピクセル精度画像信号に対して前記第１の色むら抑制強度より弱い強度による色むら抑制処理を実行する、
集積回路。
【請求項１２】
表示デバイスのサブピクセルの配列の情報を入力する表示デバイス配列情報入力部をさらに備える、
請求項１０または１１に記載の集積回路。
【手続補正２】
【補正対象書類名】明細書
【補正対象項目名】全文
【補正方法】変更
【補正の内容】
【発明の詳細な説明】
【技術分野】
【０００１】
本発明は、サブピクセル表示技術を利用する画像処理技術に関する。特に、画像処理装置、表示装置等において、サブピクセル表示技術を利用する場合に発生する色むらを抑制することで、高品位な表示を行う技術に関する。
【背景技術】
【０００２】
表示デバイスには、例えばカラー液晶パネルのように、ＲＧＢの各色を発光する発光素子を、一定順序で並設し、１画素を構成するものがある。このような表示デバイスにおける１画素を構成する各発光素子は、１画素よりも小さなサイズのものであり、サブピクセルと呼ばれる。
この種の表示デバイスでは、１画素を構成する各発光素子（サブピクセル）を並べる方向（例えば、表示デバイスの表示画面の水平方向）に画素（サブピクセルから構成される画素）を並べることで、１ラインを構成する。そして、この１ラインを、上記各発光素子（サブピクセル）を並べる方向と直交する方向（例えば、表示デバイスの表示画面の垂直方向）に並べることで、表示画面を構成する。
図１１（ａ）に、表示デバイスにおけるＲ成分のサブピクセル、Ｇ成分のサブピクセルおよびＢ成分のサブピクセルの配置およびデータ列との関係を示した図を示す。また、図１１（ｂ）にピクセルとサブピクセルとの関係を表した図を示す。
【０００３】
この種の表示デバイスは、図１１に示すように、１画素（１ピクセル）は、３つのサブピクセル（Ｒ成分用サブピクセル、Ｇ成分用サブピクセルおよびＢ成分用サブピクセル）から構成され、１画素を構成する各発光素子（サブピクセル）が第１の方向（水平方向）に並べられており、さらに、画素が第１の方向（水平方向）に並べられて１ラインを構成している。そして、１ラインを構成する画素群が第２の方向（垂直方向）に並べられることで、表示デバイスの表示画面を構成している。
また、図１１（ａ）に示すように、表示デバイスを発光させるためのデータ列（映像信号に相当）は、サブピクセル毎に対応づけられており、例えば、図１１（ａ）中の矢印の先にあるＲ用サブピクセルのデータ列が「Ｙｘ＋１」に、Ｇ用サブピクセルのデータ列が「Ｙｘ＋２」に、Ｂ用サブピクセルのデータ列が「Ｙｘ＋３」に、それぞれ、対応づけられている。つまり、データ列（映像信号）「Ｙｘ＋１」、「Ｙｘ＋２」および「Ｙｘ＋３」により、表示デバイスの図１１中の矢印の先のＲ成分用サブピクセル、Ｇ成分用サブピクセルおよびＢ成分用サブピクセルが発光することで表示デバイス上の映像（画像）が形成される。
【０００４】
ここで、例えば、特許文献１等において、この種の表示デバイスの特性（１画素が３つのサブピクセルから構成されている点に起因する特性）を活かし、この種の表示デバイスに表示させる映像（画像）信号（表示画面を構成する映像（画像）信号）に適当な処理（フィルタ処理等）を施すことにより、表示デバイスに表示される映像（画像）の見易さを向上させる技術が、公開されている。つまり、このような技術により、表示デバイスの（視覚特性上の）表示精度（人間が表示画面を見たときに、実際に認識できる解像度）を、画素精度により決定される表示精度（画素精度により決定される解像度）よりも向上させることができる（いわゆる「解像度感」を向上させることができる）。
具体的には、表示デバイスにサブピクセル表示を行うために、サブピクセルの並設方向（例えば、表示画面の水平方向）に３倍の解像度を持つ画像である３倍画像を用意する。そして、この３倍画像の各画素が各発光素子（サブピクセル）に割り当てられるように色を定める。ただし、このまま３倍画像を表示デバイスに表示させると、表示画面において色むらが発生するため、３倍画像に対してフィルタ処理を施す。すなわち、３倍画像を形成する映像（画像）信号に対して、色むらの目立たない帯域の情報のみを通過させるローパスフィルタを用いたフィルタ処理を施し、このようなフィルタ処理を施した３倍画像を形成する映像（画像）信号を表示デバイスで表示させることで、表示デバイスの表示画面において、上述した色むらを抑制する。このような処理を行う理由は、表示デバイスに表示させる映像（画像）において、画像のエッジとエッジに挟まれた領域（画像領域）が３サブピクセルより狭い場合（高帯域の情報の場合）に、色むらが発生するためである。そして、この色むらは、表示デバイスに表示される映像（画像）上の文字や画像のエッジの部分において発生することが多い。
【０００５】
例えば、従来の技術において、中心の注目画素では、輝度に対して「３／９倍」の係数を、その隣の画素では「２／９倍」の係数を、さらにその隣の画素では「１／９倍」の係数を、それぞれ、各画素の輝度値に乗じて、各画素の輝度を調整する。
このように、従来の技術（特許文献１等に開示されている技術）では、フィルタ処理を施した画像を、各発光素子（サブピクセル）に割り当てて、サブピクセル表示を行う。
さらに、一般にＲ、Ｇ、Ｂの各色の輝度への貢献度は異なる。例えば、ＲＧＢ色空間からＹＵＶ色空間に変換する場合、輝度（輝度信号）に相当するＹ信号、色信号であるＵ信号およびＶ信号は、
Ｙ＝０．２９９・Ｒ＋０．５８７・Ｇ＋０．１１４・Ｂ
Ｕ＝（Ｂ−Ｙ）／２．０３＝−０．１４７・Ｒ−０．２８９・Ｇ＋０．４３６・Ｂ
Ｖ＝（Ｒ−Ｙ）／１．１４＝０．６１５・Ｒ−０．５１５・Ｇ−０．１００・Ｂ
により、Ｒ信号、Ｇ信号およびＢ信号から導くことができる。
【０００６】
上記の場合のＹ信号への変換式において、Ｒ信号、Ｇ信号およびＢ信号に乗ずる係数は、それぞれ、「０．２９９」、「０．５８７」および「０．１１４」であるので、Ｒ信号、Ｇ信号およびＢ信号のＹ信号に対する貢献度（影響度）が異なることになる（Ｇ信号に乗ずる係数が一番大きいので、Ｙ信号に対する貢献度（影響度）は、Ｇ信号が一番大きい）。
上記のことを考慮して、例えば特許文献２においては、各色の輝度への貢献度を考慮したフィルタ係数によりフィルタ処理を行うことで、表示デバイスに表示される映像（画像）において、より表示輝度を適切にすることができるサブピクセル表示技術が開示されている。
また、例えば特許文献２等においては、輝度への貢献度が低いＢ信号に着眼し、Ｂ信号により孤立してしまう発光素子がないようなパターンを選んで太字化することで、エッジのコントラスト感低下を抑制するサブピクセル精度太字化技術が開示されている。
【先行技術文献】
【特許文献】
【０００７】
【特許文献１】特許第３６４６９８１号公報
【特許文献２】特開２００３−１３１６５３号公報
【発明の概要】
【発明が解決しようとする課題】
【０００８】
しかしながら、上記従来技術では、表示デバイスに表示される映像（画像）において、色むらが発生する如何に関わらずフィルタ処理を行っており、表示デバイスに表示される映像（画像）において、必要以上にボケ感が発生する。
また、本発明者らが実験的に確認したところによると、表示デバイスに表示させる映像（画像）において、画像のエッジとエッジに挟まれた領域（画像領域）が３サブピクセルより大きい場合にも色むらは発生し、輝度貢献度の低いＢ成分（Ｂ信号）を表示させるサブピクセルがエッジから２サブピクセル目にある領域において、色むらが目立つことがわかった。しかし、上記従来技術では、この色むらの目立つ領域に特化して処理することはできない。
本発明は、上記従来技術の課題を解決するもので、表示デバイスに表示させる映像（画像）において、色むらの目立つ領域（画像領域）に対する色むら抑制処理を適切に行うことができる画像処理装置、画像処理方法、表示装置、プログラムおよび集積回路を実現することを目的とする。
【課題を解決するための手段】
【０００９】
第１の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理装置であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。
【００１０】
この画像処理装置では、色むらが目立つ領域（画像領域）のみに強いフィルタ（色むら抑制強度の強いフィルタ）を施すことができるので、色むらが目立つ領域以外の領域においては、高解像度感を維持することができる。つまり、この画像処理装置により取得される画像（映像を含む。）は、高解像度感を保持したものであり、かつ、適切に色むら抑制されたものとなる。
第２の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理装置であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。
【００１１】
この画像処理装置では、サブピクセル精度画像上において、エッジの位置を挟む２サブピクセルにより形成される画像領域に相当するサブピクセル精度画像信号に対してのみ強い色むら抑制強度の色むら抑制処理を行うことができるため、より適切に色むら抑制を行いつつ、高解像度感を保持した画像を取得することができる。
第３の発明は、第２の発明であって、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域であるエッジ部分画像領域に相当するサブピクセル精度画像信号に対して第１の色むら抑制強度による色むら抑制処理を実行する。また、色むら領域特定部は、サブピクセル精度画像上において、エッジ部分画像領域を挟む少なくとも１サブピクセル分の画像領域であるエッジ隣接部分画像領域に相当するサブピクセル精度画像信号に対して第１の色むら抑制強度より弱い強度である第２の色むら抑制強度による色むら抑制処理を実行する。また、色むら領域特定部は、サブピクセル精度画像上において、エッジ部分画像領域でなく、かつ、エッジ隣接部分画像領域でもない画像領域に相当するサブピクセル精度画像信号に対して第２の色むら抑制強度より弱い強度である第３の色むら抑制強度による色むら抑制処理を実行する。
【００１２】
この画像処理装置では、エッジ部分画像領域に対して、色むら抑制処理を段階的に強く実行させることができるため、さらに、適切に色むら抑制を行いつつ、高解像度感を保持した画像を取得することができる。また、色むら抑制処理の程度が急激に変化することがないので、自然な色むら抑制処理を行うことができる。
第４の発明は、第１から第３のいずれかの発明であって、表示デバイスのサブピクセルの配列の情報を入力する表示デバイス配列情報入力部をさらに備える。
これにより、表示デバイスのサブピクセルの配列が異なる場合であっても、この画像処理装置により適切に色むら抑制処理を行うことができる。この画像処理装置では、例えば、表示デバイスが「ＲＧＢ」のサブピクセル配列（配置）の場合、表示デバイス配列情報入力部に「０」を入力し、表示デバイスが「ＢＲＧ」配列の場合、表示デバイス配列情報入力部に「１」を入力することで、色むら抑制処理を変更するようにできる（切り替えることができる）。
【００１３】
第５の発明は、第１から第４のいずれかの発明である画像処理装置と、画像処理装置により処理された画像信号を表示させる表示部と、を備える表示装置である。
これにより、高解像度感を保持することができ、かつ、適切な色むら抑制処理を実行することができる表示装置を実現することができる。
第６の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理方法であって、サブピクセル精度画像取得ステップと、エッジ抽出ステップと、色むら領域特定ステップと、適応色むら抑制ステップと、を備える。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。
【００１４】
これにより、第１の発明と同様の効果を奏する画像処理方法を実現することができる。
第７の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理方法であって、サブピクセル精度画像取得ステップと、エッジ抽出ステップと、色むら領域特定ステップと、適応色むら抑制ステップと、を備える。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。
【００１５】
これにより、第２の発明と同様の効果を奏する画像処理方法を実現することができる。
第８の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理をコンピュータに実行させるプログラムである。このプログラムは、コンピュータに、サブピクセル精度画像取得ステップと、エッジ抽出ステップと、色むら領域特定ステップと、適応色むら抑制ステップと、を実行させる。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。
【００１６】
これにより、第１の発明と同様の効果を奏するプログラムを実現することができる。
第９の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する画像処理をコンピュータに実行させるプログラムである。このプログラムは、コンピュータに、サブピクセル精度画像取得ステップと、エッジ抽出ステップと、色むら領域特定ステップと、適応色むら抑制ステップと、を実行させる。サブピクセル精度画像取得ステップでは、サブピクセルの個数に相当する精度であるサブピクセル精度画像を形成するサブピクセル精度画像信号を取得する。エッジ抽出ステップでは、サブピクセル精度画像信号からエッジ情報を抽出する。色むら領域特定ステップでは、エッジ情報から、サブピクセル精度画像上において色むらが発生する画像領域である色むら領域を特定する。適応色むら抑制ステップでは、色むら領域特定ステップにより特定された色むら領域の情報に基づいて、サブピクセル精度画像信号に対して色むら抑制処理を行う。そして、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定ステップでは、エッジ抽出ステップにより抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。
【００１７】
これにより、第２の発明と同様の効果を奏するプログラムを実現することができる。
第１０の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する集積回路であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、Ｂ成分用サブピクセルを含む画素が形成する画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度である第２の色むら抑制強度による色むら抑制処理を実行する。
【００１８】
これにより、第１の発明と同様の効果を奏する集積回路を実現することができる。
第１１の発明は、Ｒ（赤）成分用サブピクセル、Ｇ（緑）成分用サブピクセルおよびＢ（青）成分用サブピクセルから構成される画素を第１の方向に並設して１ラインを構成し、１ラインを第１の方向と直交する第２の方向に複数設けて表示画面を構成する表示デバイスに表示させる画像信号を処理する集積回路であって、サブピクセル精度画像取得部と、エッジ抽出部と、色むら領域特定部と、適応色むら抑制部と、を備える。サブピクセル精度画像取得部は、サブピクセルの個数に相当する精度であるサブピクセル精度画像を形成するサブピクセル精度画像信号を取得する。エッジ抽出部は、サブピクセル精度画像信号からエッジ情報を抽出する。色むら領域特定部は、エッジ情報から、サブピクセル精度画像上において色むらが発生する画像領域である色むら領域を特定する。適応色むら抑制部は、色むら領域特定部により特定された色むら領域の情報に基づいて、サブピクセル精度画像信号に対して色むら抑制処理を行う。そして、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在する場合、サブピクセル精度画像上において、エッジの位置を挟む２サブピクセルにより形成される画像領域に相当するサブピクセル精度画像信号に対して第１の色むら抑制強度による色むら抑制処理を実行する。また、色むら領域特定部は、エッジ抽出部により抽出されたサブピクセル精度画像上のエッジの位置が、サブピクセル精度画像上において、Ｂ成分用サブピクセルから２サブピクセル分だけ離れた位置に存在しない場合、Ｂ成分用サブピクセルを含む画素が形成する画像領域に相当するサブピクセル精度画像信号に対して第１の色むら抑制強度より弱い強度による色むら抑制処理を実行する。
【００１９】
これにより、第２の発明と同様の効果を奏する集積回路を実現することができる。
第１２の発明は、第１０または第１１の発明であって、表示デバイスのサブピクセルの配列の情報を入力する表示デバイス配列情報入力部をさらに備える。
【発明の効果】
【００２０】
本発明によれば、表示デバイスに表示させる映像（画像）において、色むらの目立つ領域（画像領域）に対する色むら抑制処理を適切に行うことができる画像処理装置、画像処理方法、表示装置、プログラムおよび集積回路を実現することができる。
【図面の簡単な説明】
【００２１】
【図１】本発明の第１実施形態における表示装置１０００の構成を示すブロック図。
【図２】本発明の第１実施形態におけるエッジ抽出部１０３のデジタルフィルタの例。
【図３】本発明の第１実施形態の表示装置１０００の色むら領域を特定する処理を説明するための図。
【図４】色むら領域特定部１０４の処理を示すフローチャート。
【図５】サブピクセルのピクセル位置と、サブピクセルのＹ信号への影響度についての説明図。
【図６】適応色むら抑制部１０５の処理を示すフローチャート。
【図７】本発明の第１実施形態の表示装置１０００の適応色むら抑制処理を説明するための図。
【図８】本発明の第１実施形態の第１変形例における色むら領域を特定する処理を説明するための図。
【図９】本発明の第１実施形態の第１変形例における適応色むら抑制処理を説明するための図。
【図１０】本発明の第１実施形態の第２変形例における適応色むら抑制処理を説明するための図。
【図１１】表示デバイスの配列と、データ列との関係、およびピクセルとサブピクセルとの関係を説明するための図。
【発明を実施するための形態】
【００２２】
以下本発明の実施の形態について、図面を参照しながら説明する。
［第１実施形態］
＜１．１：表示装置の構成＞
図１は、本発明の第１実施形態における表示装置１０００のブロック図である。
表示装置１０００は、入力信号を処理し、表示デバイス１１０に信号を出力する信号処理部１００と、信号処理部１００の出力するＲＧＢデータを表示する表示デバイス１１０と、を備える。
信号処理部１００は、発光素子（サブピクセル）の個数にあわせた精度を持つサブピクセル精度の画像を取得するサブピクセル精度画像取得部１０１と、サブピクセル精度画像取得部１０１から出力される映像（画像）信号の色空間ＲＧＢを輝度情報（ＩｎＹ信号）と色度情報（ｕ信号、ｖ信号）とから構成されるＹＵＶ色空間に変換する色変換部１０２と、を備える。また、信号処理部１００は、サブピクセル精度の画像データ（映像（画像）信号）におけるエッジ情報を抽出するエッジ抽出部１０３と、エッジ抽出部１０３の抽出したエッジ情報をもとに色むらが発生する画像領域を特定する色むら領域特定部１０４と、を備える。さらに、信号処理部１００は、色変換部１０２から出力されるＩｎＹ信号に対して適応色むら抑制処理を行う適応色むら抑制部１０５と、適応色むら抑制部１０５から出力された輝度情報（ＯｕｔＹ信号）と色変換部１０２から出力されたｕ信号およびｖ信号とからＲ、Ｇ、Ｂの各サブピクセルのデータ（映像（画像）信号）（ＯｕｔＲＧＢ信号）を生成するサブピクセルマッピング部１０６と、を備える。
【００２３】
表示デバイス１１０は、信号処理部１００から出力されるＯｕｔＲＧＢ信号を入力とし、ＯｕｔＲＧＢ信号により構成される映像（画像）を表示する。
以下に、各構成要素について、詳細に説明する。
サブピクセル精度画像取得部１０１は、発光素子（サブピクセル）の個数に一致する精度を持つサブピクセル精度の画像（画像信号）を取得する。なお、説明便宜のために、本実施形態の発光素子数は、表示画素数に対し、表示画面（画像信号により形成される画像）の水平方向に３倍の数であるものとする。サブピクセル精度画像取得部１０１は、表示画面の水平方向に表示画素の３倍の画像データを有する映像（画像）信号を取得する。例えば、表示画面の（水平方向の）１ラインの画素数が「Ｘ」であるとすると、サブピクセル精度画像取得部１０１は、当該１ラインを形成する映像（画像）信号として、「３Ｘ」分の画像データを有する映像（画像）信号を取得する。
【００２４】
色変換部１０２は、ＲＧＢ色空間の入力映像（画像）信号をＹＵＶ色空間の映像（画像）信号に変換する。具体的には、色変換部１０２は、サブピクセル精度画像取得部１０１から出力されるＲＧＢ色空間の映像（画像）信号を入力とし、入力されたＲＧＢ色空間の映像（画像）信号を、輝度情報の信号（ＩｎＹ信号）および色度情報の信号（ｕ信号，ｖ信号）に変換する。
本実施形態では、信号処理部１００への入力信号と信号処理部１００からの出力信号とは、いずれもＲＧＢ色空間で表現され、信号処理部１００の内部処理はＹＵＶ色空間で行われることにしている。しかしながら、信号処理部１００の内部処理で使用される輝度情報は、ＹＣｂＣｒ色空間の輝度情報（Ｙ）やＬａｂ色空間の輝度情報（Ｌ）等、種々の輝度情報であってもよい。また、色空間の変換が必要なければ、色変換部１０２は省略できる。なお、色変換部１０２が使用する変換式は、周知のもので差し支えなく、本発明は色変換を骨子とするものではないから、詳細な説明は省略する。
【００２５】
なお、サブピクセル精度画像取得部１０１と、色変換部１０２と、の配置は、図１に示すものに限らず、色変換部１０２の後段にサブピクセル精度画像取得部１０１を配置する構成としてもよい。このような構成とすると、サブピクセル精度画像取得部１０１では、輝度信号に対してのみ補間処理を施せばよいことになるので、ハードウェアにより実現する場合、回路規模を少なくすることができる。
エッジ抽出部１０３は、色変換部１０２から出力されるＩｎＹ信号を入力とし、ＩｎＹ信号から、サブピクセル精度の画像データにおけるエッジ情報を抽出する。エッジ抽出部１０３は、例えば、ハイパスフィルタ等のフィルタ処理を利用することにより、サブピクセル精度のＩｎＹ信号からエッジ情報を抽出する。エッジ抽出部１０３は、抽出したエッジ情報を色むら領域特定部１０４に出力する。
【００２６】
色むら領域特定部１０４は、エッジ抽出部１０３により抽出されたエッジ情報を入力とし、エッジ抽出部１０３により抽出されたエッジ情報に基づいて、ＩｎＹ信号が形成する画像において色むらが発生する画像領域を特定する。そして、色むら領域特定部１０４は、特定した色むらが発生する画像領域に関する情報を適応型色むら抑制部１０５に出力する。
適応色むら抑制部１０５は、色変換部１０２から出力されるＩｎＹ信号および色むら領域特定部１０４から出力される色むらが発生する画像領域に関する情報を入力とし、色むら領域特定部１０４から出力される色むらが発生する画像領域に関する情報に基づいて、ＩｎＹ信号に対して適応的に色むらを抑制する処理を行う。そして、適応色むら抑制部１０５は、色むらを抑制したＩｎＹ信号をＯｕｔＹ信号として、サブピクセルマッピング部１０６に出力する。
【００２７】
サブピクセルマッピング部１０６は、適応色むら抑制部１０５から出力されるＯｕｔＹ信号と、色変換部１０２から出力されるｕ信号およびｖ信号と、を入力とし、ＯｕｔＹ信号、ｕ信号およびｖ信号からＯｕｔＲＧＢ信号を生成し、表示デバイス１１０に出力する。つまり、サブピクセルマッピング部１０６は、ＹＵＶ色空間の映像（画像）信号であるＯｕｔＹ信号、ｕ信号およびｖ信号に対して、ＹＵＶ−ＲＧＢ色空間変換を行うことで、ＯｕｔＹ信号、ｕ信号およびｖ信号を、ＲＧＢ色空間の映像（画像）信号であるＯｕｔＲＧＢ信号に変換する。そして、色空間変換した映像（画像）信号ＯｕｔＲＧＢ信号を表示デバイス１１０に出力する。
表示デバイス１１０は、サブピクセルマッピング部１０６から出力されるＯｕｔＲＧＢ信号を入力とし、表示デバイス１１０の表示画面に、ＯｕｔＲＧＢ信号により形成される映像（画像）を表示させる。表示デバイス１１０は、カラーＬＣＤ、カラープラズマディスプレイ等のように、１画素を複数の発光素子で構成する表示画面を備えた表示デバイスである。本実施形態では、表示デバイス１１０として、表示デバイス１１０の１画素を構成する発光素子は、ＲＧＢ３原色のそれぞれを発光するものとし、それらの発光素子の表示画面上の配列（配置）順序は、表示デバイス１１０の表示画面の水平方向（ライン方向）に、Ｒ用発光素子、Ｇ用発光素子、Ｂ用発光素子の順に配列されているものとする。なお、表示デバイス１１０の発光素子の配列順序は、上記のように、表示デバイス１１０の表示画面の水平方向（ライン方向）に、Ｒ、Ｇ、Ｂの順に配列されるものに限定されるものではなく、例えば、表示デバイス１１０の表示画面の水平方向（ライン方向）に、Ｂ、Ｒ、Ｇの順に配列されるものであってもよい。また、他の配列のものであってもよい。
【００２８】
なお、本実施形態の信号処理部１００が「画像処理装置」に相当する。
＜１．２：表示装置の動作＞
以上のように構成された表示装置１０００の動作について、以下説明する。
画素（ピクセル）精度の映像（画像）信号であるＩｎＲＧＢ信号は、サブピクセル精度画像取得部１０１により、サブピクセル精度の映像信号に変換され、色変換部１０２に出力される。なお、ここで、ＩｎＲＧＢ信号は、ＲＧＢ色空間の映像信号であるものとする。
本実施形態では、ピクセル精度画像（ピクセル精度の映像（画像）信号）からサブピクセル精度画像（３倍データ）（サブピクセル精度の映像（画像）信号）を補間処理により取得する。この補間処理の手法は一般のものでかまわないが、望ましくは、映像（画像）信号が形成する映像（画像）の高域成分の情報を精度よく推定して補間する手法であることが望ましい。
【００２９】
なお、特開２００５−１２８１７３号公報に開示されているように、グラフィックスエンジンなどでもともと３倍のデータを生成する手法により、サブピクセル精度画像取得部１０１での処理を実現させるようにしてもよい。また、特開２００２−４０９８５号公報に開示されている技術のように、表示サイズよりも大きな画像を表示サイズにあわせて縮小して表示させる場合に、３倍データを取得することで、サブピクセル精度画像取得部１０１での処理を実現させるようにしてもよい。このようにすれば、補間処理により映像（画像）信号が形成する映像（画像）の高域成分を生成する手法に比べて、データの持つ高域情報を有効に利用することができ、より解像度感の高い映像（画像）（サブピクセル精度の映像（画像））を取得することができる。
サブピクセル精度画像取得部１０１により、サブピクセル精度に変換された映像信号は、色変換部１０２により、ＲＧＢ−ＹＵＶ色空間変換が実行される。ＲＧＢ−ＹＵＶ色空間変換された輝度情報を含む映像信号であるＩｎＹ信号は、エッジ抽出部１０３および適応色むら抑制部１０５に出力される。また、ＲＧＢ−ＹＵＶ色空間変換された色情報を含む映像信号であるｕ信号およびｖ信号は、サブピクセルマッピング部１０６に出力される。
【００３０】
エッジ抽出部１０３では、エッジ抽出部１０３に入力されたＩｎＹ信号からエッジ情報が抽出される。
一例として、図２に示すような３×３のデジタルフィルタを施すことにより、ＩｎＹ信号からエッジ情報を抽出することが好ましい。図２中の中心にある数字は、注目するサブピクセル（処理対象となっているサブピクセル）に対する重み係数を表し、その周囲の８つの数字は、注目するサブピクセルに隣接する周辺８サブピクセルに対する重み係数を表している。すなわち、このデジタルフィルタは、注目サブピクセルとその周辺のサブピクセルとに対する重み付け平均処理を行うフィルタである。
このデジタルフィルタをＩｎＹ信号に対して実行させた場合、注目するサブピクセル（処理対象のサブピクセル）と、その右隣のサブピクセルとの間にエッジ（ＩｎＹ信号が形成する映像（画像）上のエッジ）があるときには、このデジタルフィルタからは大きな値（絶対値）が出力され、また、エッジがないときには、このデジタルフィルタからは小さな値が出力される。
【００３１】
このデジタルフィルタからの出力結果をもとに、ＩｎＹ信号が形成する映像（画像）上のエッジを特定することができる。すなわち、デジタルフィルタの出力値に対して絶対値をとり、閾値より大きい場合には、注目サブピクセル（処理対象となっているＩｎＹ信号）は、エッジである（エッジ領域に含まれている）と判定する。ここで、閾値は、例えば、「３２」とする（輝度情報ＩｎＹ（ＩｎＹ信号）が８ｂｉｔの場合）が、他の値でもかまわないし、変動閾値としてもかまわない。
なお、図２のデジタルフィルタは一例であり、他のデジタルフィルタを用いてもかまわない。また、１次元のデジタルフィルタを用いてもかまわない。いずれにせよ、サブピクセルの並び方向（サブピクセルを水平方向（ライン方向）と垂直方向に配列している場合は、水平方向（ライン方向）に相当する方向）におけるエッジの位置を特定できるフィルタであればよい。
【００３２】
以上により、エッジ抽出部１０３により抽出されたエッジ情報は、色むら領域特定部１０４に出力される。
色むら領域特定部１０４では、エッジ抽出部１０３により抽出されたエッジ情報から色むら領域を特定する。具体的には、色むら領域特定部１０４では、エッジ抽出部１０３により抽出されたエッジ情報から特定されるエッジのある位置（画像上の位置）と、Ｂ成分のサブピクセルとの位置関係により、色むら領域を特定する。さらに具体的には、色むら領域特定部１０４では、エッジのある位置より２サブピクセル目にＢ成分のサブピクセルがある領域を色むら領域と判定する。
これについて、図３および図４を用いて説明する。なお、本実施形態では、１画素を構成する３サブピクセルを単位として色むら領域を特定する。
【００３３】
図３（ａ）は、処理対象である３サブピクセル（画素Ｂを構成する３つのサブピクセル）と、それに隣接する画素（画素Ａおよび画素Ｃ）を示したものである。また、図３（ｂ）および（ｃ）は、画素Ａ〜Ｃのサブピクセルと、色むら判定結果との関係を示す図である。なお、図３は、画素ＡおよびＣの領域にエッジがない場合の図である。
図３（ａ）において、Ｙは輝度情報を示し、添え字の１、２、３は、後述するサブピクセルマッピング部１０６において、Ｒ，Ｇ，Ｂのどのサブピクセルの位置にマッピングされる輝度情報であるかを示している。
例えば、表示デバイスの１画素がＲ，Ｇ，Ｂの順に並ぶ３つのサブピクセルで構成される場合、Ｙ１はＲ成分のサブピクセルの輝度情報に相当し、Ｙ２はＧ成分のサブピクセルの輝度情報に相当し、Ｙ３はＢ成分のサブピクセルの輝度情報に相当することを意味している。
【００３４】
また、点線で示した矩形は、注目する３サブピクセルの左右に隣接する３サブピクセルに対応する輝度情報を示している。
図４に、色むら領域特定部１０４の処理フローを示す。
色むら領域特定部１０４では、エッジ抽出部１０３により特定されたエッジ位置を参照し（ステップＳ３０１）、図３（ａ）のｘの位置にエッジがあるか否かを判定する（ステップＳ３０２）。図３（ａ）のｘの位置にエッジがあると判定された場合、画素Ｂを構成する３サブピクセルを色むら領域とする（ステップＳ３０３）。また、それ以外の場合、すなわち、ｙの位置またはｚの位置にエッジがある場合、または、エッジがない場合には、画素Ｂを構成する３サブピクセルを色むら領域としない。
図３（ｂ）に示すように、位置ｘにエッジがあり、かつ、画素ＡおよびＣの領域にはエッジがない場合、画素Ｂの領域（すなわち、画素Ｂの３サブピクセルの領域）のみを色むら領域と判定する。なお、図３（ｂ）および（ｃ）において縦軸の「０」および「１」は、色むら領域の判定結果を示しており、「０」であれば、色むら領域ではないと判定されたことを示しており、「１」であれば、色むら領域であると判定されたことを示している。
【００３５】
また、図３（ｃ）に示すように、位置ｘにエッジがない場合（すなわち、位置ｙまたはｚにエッジがある場合および画素Ｂの領域に全くエッジがない場合）、画素Ｂの領域（すなわち、画素Ｂの３サブピクセルの領域）は、色むら領域でないと判定する。
このようにして、色むら領域特定部１０４では、色むら領域が特定される。
なお、本実施形態では、水平方向（ライン方向）にＲＧＢの順にサブピクセルが配置された表示デバイスに表示する際の信号処理について説明しているが、表示デバイスのサブピクセルの配置は、ＲＧＢの順に限らない。表示デバイスのサブピクセルの配置順（配列の順番）がどのようなものであっても、色むら領域特定部１０４での色むら領域特定処理は、エッジより２サブピクセル目にＢ成分のサブピクセルがくるようなデータパターンを色むら領域と特定すればよい。
【００３６】
色むら発生に関して、図５を用いて説明する。
図５（ａ）は、画素Ａ〜Ｃと、そのサブピクセルとの位置関係を示す図である。図５（ｂ）は、図５（ａ）の画素Ａ〜Ｃのサブピクセルのピクセル位置（サブピクセル位置）とサブピクセルのＹ信号への影響度（Ｙ信号に変換するときの変換係数）との関係を示した図である。
ＲＧＢ色空間からＹＵＶ色空間に変換する場合、輝度（輝度信号）に相当するＹ信号、色信号であるＵ信号およびＶ信号は、
Ｙ＝０．２９９・Ｒ＋０．５８７・Ｇ＋０．１１４・Ｂ
Ｕ＝（Ｂ−Ｙ）／２．０３＝−０．１４７・Ｒ−０．２８９・Ｇ＋０．４３６・Ｂ
Ｖ＝（Ｒ−Ｙ）／１．１４＝０．６１５・Ｒ−０．５１５・Ｇ−０．１００・Ｂ
により、Ｒ信号、Ｇ信号およびＢ信号から導くことができる。
【００３７】
上記の場合のＹ信号への変換式において、Ｒ信号、Ｇ信号およびＢ信号に乗ずる係数は、それぞれ、「０．２９９」、「０．５８７」および「０．１１４」であるので、Ｒ信号、Ｇ信号およびＢ信号のＹ信号に対する貢献度（影響度）が異なることになる（Ｇ信号に乗ずる係数が一番大きいので、Ｙ信号に対する貢献度（影響度）は、Ｇ信号が一番大きい）。
なお、図５（ｂ）においては、説明便宜のために、乗算係数（上記Ｙを導く式の乗算係数）において、小数点２位以下を四捨五入している。
図５（ｂ）に示すように、Ｂ成分のＹ信号への影響度「０．１」が小さいため、図５（ｂ）のｘ１あるいはｘ２の位置（つまり、Ｂ成分のサブピクセルから２サブピクセル離れた位置）にエッジがある場合、色ずれが発生する可能性が高い。これは、実験的に本発明者らが見出したのである。エッジから２サブピクセル離れた位置にＢ成分のサブピクセルが存在すると、当該Ｂ成分のサブピクセルのＹ信号に対する影響度が低いため、人間の視覚特性上、当該Ｂ成分のサブピクセルの両側の領域を分けて認識してしまうと考えられる。つまり、図５（ｂ）に示すように、位置ｘ１またｘ２の位置にエッジがあり、かつ、その２サブピクセル離れた位置にＢ成分のサブピクセルがある場合、人間は、図５（ｂ）の領域ａと領域ｂとを分けて認識してしまうと考えられる。
【００３８】
このため、色むら領域特定部１０４での色むら領域特定処理では、エッジより２サブピクセル目にＢ成分のサブピクセルがあるか否かに基づいて判定（特定）処理を行う。
以上のようにして色むら領域特定部１０４により特定された色むら領域に関する情報は、適応色むら抑制部１０５に出力される。
適応色むら抑制部１０５において、色変換部１０２から出力されたＩｎＹ信号は、色むら領域特定部１０４により特定された色むら領域に関する情報に基づいて、適応色むら抑制処理が施される。
適応色むら抑制部１０５での適応色むら抑制処理について、以下説明する。
適応色むら抑制部１０５において、色むらを抑制する処理をする際に、色むら領域特定部１０４により特定された色むら領域に対しては、異なる色むら抑制処理を施す。すなわち、色むら領域特定部１０４により特定された色むら領域に対しては、色むら領域と判定されなかった領域よりも強い抑制処理を施す。
【００３９】
これについて、図６および図７を用いて説明する。
図６に、適応色むら抑制部１０５での適応色むら抑制処理のフローチャートを示す。
まず、処理対象としているサブピクセル（このサブピクセルに対応するＩｎＹ信号）が、色むら領域であるか否かを、色むら領域特定部１０４から出力された色むら領域に関する情報に基づいて、判定する（ステップＳ４０１）。そして、ステップＳ４０１により、色むら領域であると特定された領域に対しては、強い抑制処理を実現するフィルタＳを施す（ステップＳ４０２）。一方、ステップＳ４０１により色むら領域と特定されなかった領域に対しては、弱い抑制処理を実現するフィルタＷを施す（ステップＳ４０３）。
サブピクセル単位でサンプリングした場合のナイキスト周波数を「１．０」とした場合、フィルタＳは、例えばカットオフ周波数「０．２５」のローパスフィルタである。また、フィルタＷは、例えばカットオフ周波数「０．３５」のローパスフィルタである。
【００４０】
なお、上記フィルタＳ、フィルタＷは一例であり、色むら領域に対する処理を実現するフィルタＳのカットオフ周波数の方が低いフィルタであればよい。また、フィルタＳのカットオフ周波数は「０．３３」より低いローパスフィルタであり、フィルタＷのカットオフ周波数は「０．３３」より高いローパスフィルタであることが好ましい。このように、フィルタＳおよびフィルタＷのカットオフ周波数を設定することで、フィルタＳによる色むら抑制度合い（平滑化度合い）を強くすることができ、かつ、フィルタＷによる色むら抑制度合い（平滑化度合い）を弱くすることができる。
つまり、上記のようなフィルタＳおよびフィルタＷを用いた処理を行うことで、色ずれの目立たない領域では、ＩｎＹ信号の高域成分が保持されるので、表示装置１０００により取得される映像（画像）において、ピクセル精度以上の高域成分が損なわれない。その結果、表示装置１０００により取得される映像（画像）を表示させた場合、ピクセル精度以上の高域成分が適切に再現された映像（画像）が表示される。また、上記のようなフィルタＳおよびフィルタＷを用いた処理を行うことで、色ずれの目立つ領域では、色むら抑制度合い（平滑化度合い）を強いフィルタＳによる処理が実行されるので、表示装置１０００により、十分に色ずれが抑制された映像（画像）を取得することができる。
【００４１】
適応色むら抑制部１０５でのフィルタ選択処理について、図７を用いて、具体的に説明する。
図７（ａ）に、画素Ａ〜Ｃとそのサブピクセルの位置関係を示す図を、図７（ｂ）に、画素Ａ〜Ｃのサブピクセルについての色むら判定結果を示す図を、図７（ｃ）に、図７（ｂ）の場合における適応色むら抑制部１０５で選択されるフィルタを示す図を、それぞれ、示す。
図７（ｂ）は、位置ｘにエッジがある場合で、かつ、画素ＡおよびＣの領域にエッジがない場合を示している。この場合、適応色むら抑制部１０５で選択されるフィルタは、図７（ｃ）のようになる。つまり、色むら領域である画素Ｂの領域では、色むら抑制度合いの強いフィルタＳが選択され、色むら領域ではない画素ＡおよびＣの領域では、色むら抑制度合いの弱いフィルタＷが選択される。
【００４２】
このように、適応色むら抑制部１０５で処理されることで、色むら領域では色むらを抑制し、かつ、色むら領域でない領域では高域成分を維持することができる。
なお、上記では、色むら領域でない領域に対してもフィルタ処理（フィルタＷによる処理）を行うようにしているが、これに限定されることはなく、例えば、色むら領域でない領域に対しては、フィルタ処理を実行しない（すなわち、入力信号をスルーで出力する）ようにしてもよい。
以上により、適応色むら抑制部１０５により適応色むら処理が実行されたＩｎＹ信号は、ＯｕｔＹ信号として、適応色むら抑制部１０５からサブピクセルマッピング部１０６へと出力される。
サブピクセルマッピング部１０６では、適応色むら抑制部１０５から出力されるサブピクセル精度の輝度情報（ＯｕｔＹ信号）と、色変換部１０２から出力されるピクセル精度の色度情報（ｕ信号およびｖ信号）とから、Ｒ、Ｇ、Ｂの各サブピクセルのデータが生成される。つまり、ＹＵＶ色空間の映像（画像）信号であるＯｕｔＹ信号とｕ信号およびｖ信号とは、ＹＵＶ−ＲＧＢ色空間変換処理により、ＲＧＢ色空間の映像（画像）信号であるＯｕｔＲＧＢ信号に変換される。そして、サブピクセルマッピング部１０６によりＹＵＶ−ＲＧＢ色空間変換処理がなされたＯｕｔＲＧＢ信号は、表示デバイス１１０に出力される。
【００４３】
なお、ここで、ＹＵＶ−ＲＧＢ色空間変換処理については、公開されている方法によるものでかまわなく、例えば、特許第３４７６７８７号公報に記載されている方法により行えばよい。
サブピクセルマッピング部１０６から出力されたＯｕｔＲＧＢ信号は、表示デバイス１１０により、表示デバイス１１０の表示画面に、映像（画像）として表示される。
以上の通り、表示装置１０００では、色むらが目立つ領域（画像領域）のみに強いフィルタ（色むら抑制強度の強いフィルタ）を施すことができるので、色むらが目立つ領域以外の領域においては、高解像度感を維持することができる。つまり、表示装置１０００により、高解像度感を保持した映像（画像）の表示と、当該映像（画像）における色むら抑制とを両立させることができる。
【００４４】
≪第１変形例≫
次に、本実施形態の第１変形例について、図８および図９を用いて説明する。
第１変形例では、色むら領域特定部１０４により特定する色むら領域を２サブピクセル分の領域とする点と、適応色むら抑制部１０５での処理が上記実施形態と異なる。
図８（ａ）は、処理対象である３サブピクセル（画素Ｂを構成する３つのサブピクセル）と、それに隣接する画素（画素Ａおよび画素Ｃ）を示したものである。また、図８（ｂ）および（ｃ）は、画素Ａ〜Ｃのサブピクセルと、色むら判定結果との関係を示す図である。なお、図８は、画素ＡおよびＣの領域にエッジがない場合の図である。また、図９に、画素Ａ〜Ｃの位置関係と、色むら領域特定部１０４による色むら領域判定結果と、適応色むら抑制部１０５で選択されるフィルタと、を示す。
【００４５】
図８（ｂ）に示すように、色むら領域特定部１０４は、位置ｘにエッジが存在し、かつ、画素ＡおよびＣの領域にエッジが存在しない場合、画素ＢのサブピクセルＹ１およびＹ２の領域（エッジを囲む２サブピクセル分の領域）を色むら領域と判定する。
また、図８（ｃ）に示すように、色むら領域特定部１０４は、位置ｘにエッジが存在せず、かつ、画素ＡおよびＣの領域にエッジが存在しない場合、画素Ａ〜Ｃの全ての領域を色むら領域ではないと判定する。
次に、適応型色むら抑制部１０５は、図９に示すように、色むら領域特定部１０４により色むら領域と判定された画素ＢのサブピクセルＹ１およびＹ２の領域に対して、色むら抑制強度の強いフィルタＳを選択し、それ以外の領域に対しては、色むら強度の弱いフィルタＷを選択して、適応色むら抑制処理を行う。
【００４６】
以上により、第１変形例によれば、より細かな領域（画像領域）に対して、適応的に色むら抑制処理を行うことができるため、より精度の高い色むら抑制処理を実現させることができる。
≪第２変形例≫
次に、本実施形態の第２変形例について、図１０を用いて説明する。
第２変形例では、色むら領域特定部１０４により特定する色むら領域を２サブピクセル分の領域とする点と、適応色むら抑制部１０５において、３種類のフィルタを使用する点とが、上記実施形態と異なる。
図１０に、画素Ａ〜Ｃの位置関係と、色むら領域特定部１０４による色むら領域判定結果と、適応色むら抑制部１０５で選択されるフィルタと、を示す。
【００４７】
第２変形例では、適応色むら抑制部１０５は、フィルタＳおよびフィルタＷに加えて、フィルタＳおよびフィルタＷの中間の色むら抑制強度を持つフィルタＭを備える。つまり、フィルタＭのカットオフ周波数は、フィルタＳのカットオフ周波数とフィルタＷのカットオフ周波数の中間の領域の値である。
第２変形例では、図１０に示すように、色むら領域特定部１０４により色むら領域と判定された画素ＢのサブピクセルＹ１およびＹ２の領域（エッジを囲む２サブピクセル分の領域）に対して、色むら抑制強度の最も強いフィルタＳによるフィルタ処理が実行される。そして、色むら領域に隣接するサブピクセルである画素ＡのＹ３の領域および画素ＢのＹ３の領域に対しては、色むら抑制強度の中間のフィルタＭによるフィルタ処理が実行される。そして、それ以外の領域に対しては、色むら抑制強度の最も弱いフィルタＷによるフィルタ処理が実行される。
【００４８】
第２変形例では、フィルタの色むら抑制強度が段階的に変化することになるので、サブピクセル間での急激な変化（副作用等）を発生させることがなく、より適切な色むら抑制処理を実行することができる。
なお、適応色むら抑制部１０５による、フィルタは３種類のものに限定されることはなく、色むら抑制強度の異なる４種類以上のフィルタを用意し、段階的に変化させるようにしてもよい。
また、上記では、色むら領域と判定された領域に隣接する領域として１サブピクセル分の領域に対してフィルタＭをかけているが、これに限定されることはなく、色むら領域と判定された領域に隣接する複数のサブピクセル分の領域に対して中間の色むら抑制強度を有するフィルタをかけるようにしてもよい。
【００４９】
また、適応色むら抑制部１０５において、フィルタＳ、フィルタＭおよびフィルタＷを、それぞれ独立に備える構成としてもよいが、これに限定されることはなく、例えば、フィルタ係数を可変にすることで、３種類（複数種類）のフィルタを実現させる構成としてもよいことは言うまでもない。
［他の実施形態］
上記実施形態では、表示デバイス１１０のサブピクセルの配列（配置）が、ＲＧＢの順番に配列（配置）されているものに対して固定的に処理する表示装置１０００について説明した。これに限定されることなく、例えば、上記実施形態に係る表示装置１０００の信号処理部１００に、表示デバイス切替用ＩＦ部をさらに設け、当該表示デバイス切替用ＩＦ部から所定の情報を入力することで、信号処理部１００での処理を切り替えるようにしてもよい。
【００５０】
具体的には、例えば、表示デバイス１１０が「ＲＧＢ」配列の表示デバイスである場合、表示デバイス切替用ＩＦ部に「０」を入力することで、信号処理部１００の各機能部が「ＲＧＢ」配列の表示デバイス用の処理を実行するように設定されるようにする。また、表示デバイス１１０が「ＢＲＧ」配列の表示デバイスである場合、表示デバイス切替用ＩＦ部に「１」を入力することで、信号処理部１００の各機能部が「ＢＲＧ」配列の表示デバイス用の処理を実行するように設定されるようにする。
これにより、信号処理部１００の処理を、多様な配列パターンを有する表示デバイスに対応させることができる。
なお、上記実施形態で説明した表示装置において、各ブロックは、ＬＳＩなどの半導体装置により個別に１チップ化されてもよいし、一部または全部を含むように１チップ化されてもよい。
【００５１】
なお、ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路または汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてあり得る。
また、上記実施形態の各処理をハードウェアにより実現してもよいし、ソフトウェアにより実現してもよい。さらに、ソフトウェアおよびハードウェアの混在処理により実現してもよい。なお、上記実施形態に係る表示装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【００５２】
なお、本発明の具体的な構成は、前述の実施形態に限られるものではなく、発明の要旨を逸脱しない範囲で種々の変更および修正が可能である。
【産業上の利用可能性】
【００５３】
本発明は、画質向上のための画像処理装置および画像処理方法に利用可能である。
本発明に係る画像処理装置、画像処理方法、表示装置、プログラムおよび集積回路は、映像信号の色むら抑制を効果的に行うことができるので、映像機器関連産業分野において、有用であり、本発明は、当該分野において実施することができる。
【符号の説明】
【００５４】
１０００  表示装置
１００  信号処理部（画像処理装置）
１０１  サブピクセル精度画像取得部
１０２  色変換部
１０３  エッジ抽出部
１０４  色むら領域特定部
１０５  適応色むら抑制部
１０６  サブピクセルマッピング部
１１０  表示デバイス
【手続補正３】
【補正対象書類名】図面
【補正対象項目名】全図
【補正方法】変更
【補正の内容】
【図１】
2009147792.tif 000014
【図２】
2009147792.tif 000015
【図３】
2009147792.tif 000016
【図４】
2009147792.tif 000017
【図５】
2009147792.tif 000018
【図６】
2009147792.tif 000019
【図７】
2009147792.tif 000020
【図８】
2009147792.tif 000021
【図９】
2009147792.tif 000022
【図１０】
2009147792.tif 000023
【図１１】
2009147792.tif 000024
【国際調査報告】
2009147792.tif 000025
2009147792.tif 000026